(57)【要約】【課題】記録されたコンテンツの再生に際してリスト上で再生済か否かを判別可能とする。【解決手段】実施形態によれば、再生装置において、記憶媒体に記憶されたコンテンツそれぞれの再生済／未再生情報を管理し、前記記憶媒体に記憶されたコンテンツのリストを生成し、前記リストに前記コンテンツそれぞれの再生済／未再生情報を付加し、前記コンテンツを再生する再生部及び前記再生部以外の他の再生装置のいずれかで前記コンテンツが再生された場合に、この再生されたコンテンツの再生済／未再生情報を再生済に更新する。【選択図】図２
2019140607.tif 000002
【特許請求の範囲】
【請求項１】
記憶媒体に記憶されたコンテンツそれぞれの再生済／未再生を示す再生済／未再生情報を管理する管理部と、
前記記憶媒体に記憶されたコンテンツのリストを生成し、前記リストに前記管理部で管理される前記コンテンツそれぞれの再生済／未再生情報を付加する生成部と、
前記記憶媒体に記憶されたコンテンツを再生する再生部と
を具備し、
前記管理部は、前記再生部及び前記再生部以外の他の再生装置のいずれかで前記コンテンツが再生された場合に、この再生されたコンテンツの再生済／未再生情報を再生済に更新する再生装置。
【請求項２】
前記他の再生装置には、前記コンテンツをストリーミング配信する請求項１記載の再生装置。
【請求項３】
前記管理部は、前記他の再生装置から前記再生しているコンテンツに対する再生停止指示があったとき、前記再生済／未再生情報を再生済に更新すると共に、前記再生停止指示があった位置をレジューム位置情報として保存し、
前記再生部は、前記他の再生装置からのレジューム再生指示に応答して前記レジューム位置情報に基づく位置から再生を開始する請求項１記載の再生装置。
【請求項４】
前記管理部は、前記他の再生装置が複数の場合に、他の再生装置毎に前記リストを個別に管理する請求項１記載の再生装置。
【請求項５】
記憶媒体に記憶されるコンテンツそれぞれの再生済／未再生を示す再生済／未再生情報を管理し、
前記記憶媒体に記憶されたコンテンツのリストを生成し、
前記リストに前記コンテンツそれぞれの再生済／未再生情報を付加し、
前記コンテンツを再生する再生部及び前記再生部以外の他の再生装置のいずれかで前記コンテンツが再生された場合に、この再生されたコンテンツの再生済／未再生情報を再生済に更新する再生方法。
【発明の詳細な説明】
【技術分野】
【０００１】
本発明に係る実施形態は、録画リストを提供する機能を持つ再生装置及び再生方法に関する。
【背景技術】
【０００２】
現在の記録装置は、放送信号により送られてくる番組コンテンツ、ＤＶＤ（登録商標）、ブルーレイ（登録商標）などに収録された映画、ニュースドキュメントなどを含むデータコンテンツを、内蔵した記録媒体（ハードディスク）や外付けの記録媒体（ＵＳＢ接続されたハードディスク）に記録可能である。また、再生装置は、記録媒体に記録された番組コンテンツやデータコンテンツ（以下、録画コンテンツで総称する）を再生することができる。
【０００３】
一方、上記再生装置では、その再生装置に接続されているテレビのみならず、宅内の別部屋、或いは外出先等の宅外において、いわゆるスマートフォン又はタブレット等の情報通信端末に、通信回線を利用して録画コンテンツを提供する機能が搭載されるようになり、ユーザは場所に関係なく録画コンテンツの視聴が可能になった。
【０００４】
ところで、上記再生装置では、ユーザが録画コンテンツから視聴したいコンテンツを選択するための録画リストを提供する機能を有しており、その録画リストには、未視聴／視聴済、ダビング回数等の状態表示をアイコン（インジケータ）化して表示するようにしている。例えば、未視聴の場合には、[ＮＥＷ]、[新]、[未]等のアイコン（アイコンの代わりに識別標識やインジケータであっても良い）を録画コンテンツのリスト枠内に表示する。
【０００５】
しかしながら、上記再生装置では、再生装置および情報通信端末の両方で未視聴の状態であった録画コンテンツが、情報通信端末で視聴された場合でも、再生装置の録画リスト上で、未視聴の状態を表示したままとする（或いは再生済チェックを入れる）処理を行っていない。このため、ユーザが再生装置で録画コンテンツを視聴しようとした場合に、再生装置の録画リスト上、情報通信端末で視聴済であるか否かが判らない、等の課題があった。
【先行技術文献】
【特許文献】
【０００６】
【特許文献１】特開２００９−２７８５９３号公報
【発明の概要】
【発明が解決しようとする課題】
【０００７】
上記したように再生装置では、コンテンツのリストを提供する機能において、再生部及び当該再生部以外の他の再生装置の両方で未再生の状態であったコンテンツが、他の再生装置で再生された場合に、コンテンツのリスト上で、未再生の状態を表示したままとする（或いは再生済チェックを入れる）処理を行っていない。このため、ユーザがコンテンツを再生しようとした場合に、リスト上で、他の再生装置で再生済であるか否かが判らない、等の課題があった。
【０００８】
そこで、一実施形態においては、コンテンツが再生部以外の他の再生装置で再生された場合に、このコンテンツがリスト上で再生済であることを識別表示することのできる再生装置及びその再生方法を提供することを目的とする。
【課題を解決するための手段】
【０００９】
本願の一実施形態は、再生装置において、記憶媒体に記憶されたコンテンツそれぞれの再生済／未再生情報を管理し、前記記憶媒体に記憶されたコンテンツのリストを生成し、前記リストに前記コンテンツそれぞれの再生済／未再生情報を付加する。再生部及び前記再生部以外の他の再生装置のいずれかでコンテンツが再生された場合に、この再生されたコンテンツの前記再生済／未再生情報を再生済に更新する。
【図面の簡単な説明】
【００１０】
【図１】図１は、本実施形態が適用された記録再生装置の構成例を示すブロック図。
【図２】図２は、本実施形態の端末再生時の処理の流れを示すフローチャート。
【図３】図３は、本実施形態により処理された端末再生時の録画リスト表示画面を示す図。
【図４】図４は、本実施形態の情報通信端末毎の再生情報を、記録再生装置のメモリへの格納例を示すブロック図。
【図５】図５は、情報通信端末における録画リストの表示例を示す図。
【図６】図６は、図５で示した録画リストの別の表示例を示す図。
【発明を実施するための形態】
【００１１】
以下、実施の形態について図面を参照して説明する。
【００１２】
図１は、一実施形態が適用された記録再生装置１００の構成例を示すブロック図であり、記録再生装置１００は、例えばスクランブルされたデジタル地上波放送信号を受信する複数のチューナを含むデジタルチューナ装置１０２を有する。デジタルチューナ装置１０２は例えばＢＳ／ＣＳデジタル放送受信用のチューナ（図示せず）を含んでもよい。
【００１３】
デジタルチューナ装置１０２で受信された放送番組の信号は、ＴＳ処理部１２２に入力され、複数のチャンネル（ＣＨ）のＴＳ（Transport Stream）が１つのＴＳに再多重される。多重ＴＳは各チャンネルの放送番組のパケット列を含む。各チャンネルのパケットには、チャンネル及びパケット識別用の識別情報が付加されている。多重ＴＳは、記憶装置１１１に入力される。またＴＳ処理部１２２に入力したＴＳの中で、制御情報を含むパケットは、制御部２００に入力されて処理される。
【００１４】
記憶装置１１１は、例えば、ハードディスクドライブ（ＨＤＤ）、光ディスク記録再生装置を含む。光ディスクにはデジタルバーサタイルディスク（ＤＶＤ）、ブルーレイ（登録商標）ディスク（ＢＤ）などが含まれる。
【００１５】
ＴＳ処理部１２２から制御部２００に送られるパケットは、放送番組を再生するのに必要な情報が記述された各種のテーブルを搬送する。テーブルは、例えば、放送番組の暗号化情報であるＥＣＭ（Entitlement Control Message）と、番組名、出演者、開始時刻などのイベント情報を記述したテーブルであるＥＩＴ（Event Information Table）などの情報、ＥＰＧ（Electric Program Guide：電子番組ガイド）情報、プログラムマップテーブルＰＭＴ（Program Map Table）等を含む。
【００１６】
パケットに含まれる画像データは、例えばＭＰＥＧ（Moving Picture Expert Group）方式、ＡＶＣ（Advanced Video Coding）方式などでエンコードされている。またオーディオパケット内のオーディオデータは、例えば、ＰＣＭ（Pulse Code Modulation）方式、Ｄｏｌｂｙ（登録商標）方式、ＭＰＥＧ方式などでエンコードされている。
【００１７】
ＴＳ処理部１２２で分離されたパケットの中でオーディオデータを含むパケットは、オーディオデコーダ１２３に入力され、符号化方式に応じた復号化が実施される。オーディオデコーダ１２３でデコードされたオーディオデータは、オーディオデータ処理部１２４で同期処理、音量調整などを施され、オーディオ出力部１２５に供給される。オーディオ出力部１２５は、スピーカシステムに応じたステレオ分離処理などを実行し、出力をスピーカ１２６に供給する。
【００１８】
ＴＳ処理部１２２で分離されたパケットの中で画像データを含むパケットは、画像デコーダ１３１に入力され、画像デコーダ１３１では、符号化方式に応じた復号化が実施される。画像デコーダ１３１でデコードされた画像データは、画像データ処理部１３２で、同期処理、輝度調整、色調整などが施される。画像データ処理部１３２の出力は、画像出力部１３３に供給される。画像出力部１３３は、制御部２００からのデータ、図形、番組表などをメイン画像信号に多重することができる。また画像出力部１３３は、出力画像信号に対して表示器１３４に応じたスケール、解像度、ライン数、アスペクト比などを設定して、表示器１３４に向けて出力する。
【００１９】
なお、有料番組のオーディオパケット、画像パケットが暗号化されている場合もある。この場合、鍵情報を用いて暗号化を解くための処理系統もあるがここでは省略している。
【００２０】
制御部２００は、中央演算処理ユニット（ＣＰＵ）２０１、コマンド処理部２０２、通信制御部２０３、デバイス管理部２０４、メモリ２１１、表示処理部２１２を含む。さらにＥＰＧ（Electric program guide）データ取り込み部を含むがここでは示していない。
【００２１】
制御部２００は、記録制御部２５１を含む。この記録制御部２５１は、タイムシフト録画機能を持つ。また、予約した番組を記憶装置１１１の媒体に録画する機能、さらには、記憶装置１１１で再生した例えばハードディスク、ＤＶＤ、ブルーレイディスクなどから再生したコンテンツを別の媒体（ハードディスク、ＤＶＤ、ブルーレイディスク）に記録する機能も備える。
【００２２】
タイムシフト録画機能が動作するときは、記録制御部２５１は、記憶装置１１１を制御し、放送される複数のチャンネルの番組を、複数日に渡って記憶装置１１１に記録することができる。したがって、記録制御部２５１には、録画したコンテンツや番組コンテンツをテーブル上に配列した、録画リストデータも格納されている。さらに制御部２００は、持出し準備部２５２、ダビング管理部２５３を含む。
【００２３】
ＣＰＵ２０１は、制御部２００の全体の動作シーケンスの調整を行っている。コマンド処理部２０２は、外部から入力する操作コマンドを解析し、コマンドに応じた動作を記録再生装置１００に反映させることができる。デバイス管理部２０４は、制御部２００に対して操作信号を与える情報通信端末７００、リモートコントローラ４００などのデバイス識別データを把握し、管理することができる。
【００２４】
表示処理部２１２は、画像出力部１３３を介して表示器１３４に表示される画像信号を全般的に制御することができる。また表示処理部２１２は、画像信号の解像度、表示サイズ、表示エリアなどの調整処理を行うこともできる。また、ＥＰＧデータを用いて作成した番組表の画像信号や、操作信号に応じて制御部２００内で作成されたメニュー画像信号などを画像出力部１３３に供給することができる。
【００２５】
メモリ２１１は、制御部２００内で保存する各種のデータ、アプリケーションなどを保存することができる。またメモリ２１１は、不揮発性メモリを含み、通信のためのアドレスデータ、機器固有情報（レコーダ固有ＩＤ）などを格納している。
【００２６】
通信制御部２０３は、外部との通信を行い、操作コマンド、データ、コンテンツ、などを取り込むことができる。取り込まれたコンテンツ、及びデータは、例えば記憶装置１１１、或いはメモリ２１１に格納されることができる。通信制御部２０３は、記録再生装置１００から外部に向けて、データ、コンテンツ、などを送信することができる。
【００２７】
また、通信制御部２０３は、有線通信送受信部（通信器と称してもよい）１１２、無線通信送受信部（通信器と称してもよい）１１３、赤外線受信部１１４及び、ＬＡＮ送受信部１１５と接続されている。
【００２８】
有線通信送受信部１１２は、インターネットを介して、遠隔サーバ、或いはホームサーバとの間でデータの送受信を行うことができる。
【００２９】
無線通信送受信部１１３は、例えば近距離通信用で、情報通信端末７００との間でペアリングすることによってデータの送受信を行うことができる。ただし、ペアリングは通信接続用の一例であり、他の方法であってもよい。
【００３０】
赤外線受信部１１４は、リモートコントローラ４００からの記録再生装置１００に対する操作信号を受け取って、制御部２００に送る。
【００３１】
ＬＡＮ送受信部１１５は、例えば家庭内のテレビジョン装置、記録再生装置、セットトップボックス、家庭内サーバと接続されている。
【００３２】
情報通信端末７００は、例えばスマートホン（以下、スマホと称する）等の携帯端末であり、記録再生装置１００をリモートコントロールすることができる。情報通信端末７００は、図示しない基地局、インターネットなどを介してサーバをアクセスすることができる。情報通信端末７００は、サーバが提供するコンテンツは勿論のこと、各種のアプリケーション、ゲームソフトなどをダウンロードし、無線通信送受信部１１３を介して、制御部２００に転送することが可能である。
【００３３】
また情報通信端末７００は、コンテンツを取得するための情報（例えばウェブサーバのアドレス、メールアドレス、ネットワークアドレスなど）を、無線通信送受信部１１３を介して、制御部２００に転送することが可能である。
【００３４】
情報通信端末７００からコンテンツ、アプリケーション、或いはゲームソフトが転送されてくるときは、制御部２００の通信制御部２０３が動作する。通信制御部２０３は、受け取ったコンテンツをメモリ２１１に格納する。コンテンツは、操作コマンドに応じて、或いは自動的に記憶装置１１１に格納されてもよい。記憶装置１１１は、受け取ったコンテンツを例えばハードディスクに記録させることができる。ハードディスクにおいては、コンテンツはコンテンツファイルとして管理される。
【００３５】
さらに情報通信端末７００は、持出し準備部２５２が用意しているコンテンツを、自身のメモリに取り込む（ダウロード）ことができる。
【００３６】
表示用のメニュー画像信号、番組表画像信号、録画リスト信号などは、表示処理部２１２に格納及びまたは管理されている。メニューの表示、番組表の表示が行われるときは、メニュー画面データ、番組表画像信号が、表示処理部２１２の制御に基づき、データ格納部（メモリ或いはハードディスク）から読み出され、画像出力部１３３に供給される。これにより、メニュー画面や番組表画面が表示器１３４に表示される。
【００３７】
情報通信端末７００が表示用のメニュー画像信号、番組表画像信号など要求した場合、表示処理部２１２は、メニュー画像信号、番組表画像信号を情報通信端末７００へ送信することができる。
【００３８】
情報通信端末７００は、メニュー画像信号、番組表画像信号をタッチ式パネルの画面に表示することができ、ユーザは、タッチ（或いはポイント）式パネルの画面に表示された操作ボタンに触れることにより、記録再生装置１００に動作指令信号を与えることができる。
【００３９】
上記構成による記録再生装置１００において、図２及び図３を参照して本実施形態の処理動作を説明する。
【００４０】
図２は本実施形態の端末再生時の処理の流れを示すフローチャート、図３は本実施形態により処理された端末再生時の録画リスト表示画面を示している。
【００４１】
図２に示すように、記録再生装置１００の記録再生部２５１では、記憶装置１１１に記録されているコンテンツを提示するために、図３に示すようなリスト形式による録画リストを作成し、逐次更新している（ステップＳ１１）。ここで、録画リストに作成において、コンテンツ毎にメタデータの未視聴／視聴済のフラグを参照し、未視聴のコンテンツには、[ＮＥＷ]、[新]、[未]等のアイコン（以下、[ＮＥＷ]アイコンと称する。アイコンの代わりに識別標識やインジケータであっても良い。）を付加して表示する。次に、無線通信送受信部１１３を通じて情報通信端末７００とペアリングされ（ステップＳ１２）、当該端末７００からコンテンツの視聴要求を受けると（ステップＳ１３）、録画リストを端末７００に出力する（ステップＳ１４）。端末７００から録画リスト中のコンテンツの指定があると（ステップＳ１５）、指定コンテンツを記憶装置１１１から読み出す（ステップＳ１６）。ここで、指定コンテンツが未視聴であるか判断し（ステップＳ１７）、未視聴の場合、端末７００から再生指示があると（ステップＳ１８）、指定コンテンツの再生を開始して端末７００にストリーミング配信する（ステップＳ１９）。
【００４２】
この状態から、端末７００から停止指示があると（ステップＳ２０）、コンテンツの再生を停止して、その停止位置をレジューム位置として保存する（ステップＳ２１）。このとき、録画リスト中の端末で再生されたコンテンツに付加されている［ＮＥＷ］アイコンを消去する（図３の例では女子ゴルフオープン「ＢＢＢＢ」）（ステップＳ２２）。この時点で端末７００から終了指示があれば（ステップＳ２３）、ペアリング解除等の終了処理を行い（ステップＳ２４）、一連の処理を終了する。終了指示がなければ、ステップＳ１３に戻って端末７００からの視聴要求を待機する。
【００４３】
一方、上記ステップＳ１７において、指定コンテンツが未視聴でなかった場合には、最初から再生するか続きから再生するかの選択を要求し（選択画面の表示）（ステップＳ２５）、「最初から」が選択された場合には（ステップＳ２６）、ステップＳ１８に移行して処理を続ける。また、ステップＳ２６で、「続きから」が選択された場合には、続きの再生指示を受けると（ステップＳ２７）、レジューム位置情報を取得してその位置から再生し（ステップＳ２８）、ステップＳ２０に移行して処理を続ける。
【００４４】
以上のように、本実施形態の記録再生装置１００では、情報通信端末７００に指定コンテンツをストリーミング配信し、その再生停止時に、本体側で、停止した位置をレジューム位置情報として保持し、そのタイミングで「未視聴」を示すアイコンを削除しておく。このように、本体側で再生した場合の停止位置、端末７００で再生した場合の停止位置を本体側でレジューム位置情報として一元管理保持し、共有するようにしているので、端末７００で再生する場合、本体側からレジューム位置情報を取得し、端末７００で再生する時、その位置から再生することができる。また、記録再生装置１００の本体側で再生する場合もレジューム位置を引き継いだ、続き再生が可能となる。
【００４５】
ここで、図３に示すように、端末７００で再生した番組で、記録再生装置１００の本体側では未再生の通常録画番組であっても、録画リストにおいて、[ＮＥＷ]（または[新]、[未]等）のアイコンが消去されているため、本体側で再生した場合に、端末７００で停止したレジューム位置からの再生が可能であることがリスト上から識別することができる。
【００４６】
以上のように、本実施形態によれば、録画コンテンツを記録再生装置本体側だけでなく、他機器から再生した場合にも再生済とすることができる。
【００４７】
なお、上記実施形態では、[ＮＥＷ]（または[新]、[未]等）の未視聴アイコンを録画リストに付加するようにしたが、未視聴アイコンが無い場合は、再生済チェックマークを入れるようにしてもよい。
【００４８】
また、上記実施形態では、録画コンテンツを選択するための録画リストを対象としたが、プレイリストの場合も同様に実施可能である。
【００４９】
また、上記実施形態では、１個の情報通信端末がペアリンクされた場合について説明したが、２個以上の場合でも同様に実施可能である。この場合、端末ごとにレジューム位置を記録しておき、ペアリンクされたときに対応するレジューム位置情報を読み出すようにするとよい。
【００５０】
なお、再生するコンテンツを選択する際に表示するプレビュー再生は、再生の内に含めなくても良い。
【００５１】
図４は、複数の情報通信端末（以下、スマホと称する）がペアリングされ、スマホごとに再生の有無及び再生停止時のレジューム位置情報をメモリ２１１に格納する例である。図４において、録画コンテンツごとに複数の再生情報を有する。例えばここでは、再生情報１は、父親用スマホに関する再生情報を、再生情報２は、母親用スマホに関する再生情報を、再生情報３は、子供用スマホに関する再生情報を示す。夫々の再生情報は、スマホ識別情報、再生有無情報、レジューム位置情報から構成される。スマホ識別情報は、ペアリングした各々の情報通信端末の識別情報である。
【００５２】
図５は、父親用のスマホ画面で、録画リストを表示している状態を示す。図５の録画リストにおいて、再生済の録画コンテンツは、［ＮＥＷ］のアイコンが消去される（図５の例では、女子ゴルフオープン「ＢＢＢＢ」）。また、再生途中であれば、停止位置をレジューム位置情報として、図４の父親用スマホに関する再生情報（ペアリング時にスマホ識別情報を登録）の再生情報１のレジューム位置情報に格納し、再生有無情報に「再生済（再生有）」を格納する。
【００５３】
図６は、同じ記録再生装置１００を利用する家族である母親と子供が夫々のスマホを使用する場合の録画リストを表示している状態を示す。図６（ａ）母親用のスマホ画面の録画リストにおいて、再生済の録画コンテンツは、［ＮＥＷ］のアイコンが消去される（図６（ａ）の例では、真夏のドラマスペシャル「ＡＡＡ」）。また、再生途中であれば、停止位置をレジューム位置情報として、図４の母親用スマホに関する再生情報（ペアリング時にスマホ識別情報を登録）の再生情報２のレジューム位置情報に格納し、再生有無情報に「再生済（再生有）」を格納する。同様に、図６（ｂ）子供用のスマホ画面の録画リストにおいて、再生済の録画コンテンツは、［ＮＥＷ］のアイコンが消去される（図６（ｂ）の例では、お笑いライブ「ＤＤＤＤＤＤ」）。また、再生途中であれば、停止位置をレジューム位置情報として、図４の子供用スマホに関する再生情報（ペアリング時にスマホ識別情報を登録）の再生情報３のレジューム位置情報に格納し、再生有無情報に「再生済（再生有）」を格納する。
【００５４】
このように、録画コンテンツごとに家族夫々の再生情報を有するので、他の誰かが視聴した番組が、各自のスマホ画面の録画リストにおいて、［ＮＥＷ］アイコンが消去され、再生済みとなることを防止できる。
【００５５】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また、複数の実施形態を組み合わせてもよく、この組み合わせで構成される実施例も発明の範疇である。
また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【００５６】
また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【００５７】
１００…記録再生装置、１０２…デジタルチューナ装置、１２２…ＴＳ処理部、１１１…記憶装置、１１２…有線通信送受信部、１１３…無線通信送受信部、１１４…赤外線受信部、１１５…ＬＡＮ送受信部、１２３…オーディオデコーダ、１２４…オーディオデータ処理部、１２５…オーディオ出力部、１２６…スピーカ、１３１…画像デコーダ、１３２…画像データ処理部、１３３…画像出力部、１３４…表示器、２００…制御部、２０１…中央演算処理ユニット（ＣＰＵ）、２０２…コマンド処理部、２０３…通信制御部、２０４…デバイス管理部、２１１…メモリ、２１２…表示処理部、２５１…記録制御部、２５２…持出し準備部、２５３…ダビング管理部、４００…リモートコントローラ、７００…情報通信端末。
【図１】
2019140607.tif 000003
【図２】
2019140607.tif 000004
【図３】
2019140607.tif 000005
【図４】
2019140607.tif 000006
【図５】
2019140607.tif 000007
【図６】
2019140607.tif 000008